(57)【要約】【課題】便器の化粧カバー等に設けられたスピーカの位置を変更することができる便器付属設備を提供する。【解決手段】洋風便器１の後部上面に便座ボックス５が設置されている。この便座ボックス４の後部は洋風便器１よりも若干後方に張り出し、その下側に化粧カバー６が連なっている。化粧カバー６の裏面にスピーカ取付座８を介してスピーカ９が取り付けられている。化粧カバー６に近接してトイレルームの壁面や構造物等が存在すること等によりスピーカ音が聞えにくかったり、スピーカ音質が低いときなどには、化粧カバー６を取り外し、この化粧カバー６をトイレルーム内のカウンターや棚など任意の位置に載置する。【選択図】図１
2005307482.tif 000002
【特許請求の範囲】
【請求項１】
便器に設けられたカバーと、該カバーに取り付けられたスピーカとを有する便器付属設備において、
該カバーの少なくとも一部が着脱可能な着脱体となっており、該着脱体に該スピーカが取り付けられていることを特徴とする便器付属設備。
【請求項２】
請求項１において、該スピーカに対し無線により音信号を出力する音源回路を備えたことを特徴とする便器付属設備。
【請求項３】
請求項１又は２において、該着脱体を自立させるための手段が該着脱体に設けられていることを特徴とする便器付属設備。
【請求項４】
請求項１ないし３のいずれか１項において、前記着脱体を掛止するための手段が該着脱体に設けられていることを特徴とする便器付属設備。
【発明の詳細な説明】
【技術分野】
【０００１】
本発明は便器に設置される便器付属設備に係り、特に音楽、自然音などを出力するためのスピーカを備えた便器付属設備に関する。
【背景技術】
【０００２】
トイレ使用者にやすらぎ感を与えたり便器使用音をマスキングしたりするために、トイレルーム内に演奏音や自然音などの音を出力させるトイレ用音響装置が特開２００３−１７６５５９号に記載されている。特開２００３−１７６５５９号では、洋風便器本体の後部上面にタンクカバーが設置され、このタンクカバーの側面にスピーカが設置されている。
【特許文献１】特開２００３−１７６５５９号公報
【発明の開示】
【発明が解決しようとする課題】
【０００３】
上記特開２００３−１７６５５９号では、スピーカはタンクカバー内に設置されており、その位置を変更することはできない。そのため、タンクカバーの側面にトイレルームの壁面や固定構造物、大型備品等が存在する場合、音が良く聞えなかったり、反響音により音質が劣化したりするおそれがある。
【０００４】
本発明は、このような問題点を解決するために、スピーカの位置を変更することができる便器付属設備を提供することを目的とする。
【課題を解決するための手段】
【０００５】
本発明（請求項１）の便器付属設備は、便器に設けられたカバーと、該カバーに取り付けられたスピーカとを有する便器付属設備において、該カバーの少なくとも一部が着脱可能な着脱体となっており、該着脱体に該スピーカが取り付けられていることを特徴とするものである。
【０００６】
請求項２の便器付属設備は、請求項１において、該スピーカに対し無線により音信号を出力する音源回路を備えたことを特徴とするものである。
【０００７】
請求項３の便器付属設備は、請求項１又は２において、該着脱体を自立させるための手段が該着脱体に設けられていることを特徴とするものである。
【０００８】
請求項４の便器付属設備は、請求項１ないし３のいずれか１項において、前記着脱体を掛止するための手段が該着脱体に設けられていることを特徴とするものである。
【発明の効果】
【０００９】
本発明の便器付属設備によると、カバーの少なくとも一部を構成する着脱体にスピーカが設けられているので、この着脱体を取り外して所望の位置に配置することにより、スピーカを所望の位置に配置することができる。
【００１０】
このため、例えばカバーに設けられたスピーカがトイレルームの壁面に対峙する場合であっても、スピーカを他の位置へ移動させ、スピーカからの音を聞き易くしたり、反響音による音質劣化を防止したりすることが可能となる。
【００１１】
本発明では、スピーカに対し無線によって音信号を与えるようにすることにより、スピーカの配置位置の自由度が高くなる。
【００１２】
本発明では、着脱体を自立させる手段を設けることにより、着脱体をカウンターや棚の上等の所望の位置に自立させておくことができる。
【００１３】
また、本発明では、着脱体を掛止する手段を設けることにより、着脱体を壁面等の所望位置に掛止することができる。
【発明を実施するための最良の形態】
【００１４】
以下、図面を参照して本発明についてさらに詳細に説明する。第１図（ａ）は実施の形態に係る便器付属設備を備えた洋風便器の斜視図、第１図（ａ）は同（ａ）のＢ−Ｂ線断面図、第１図（ｃ）は化粧カバーを取り外して自立させた状態を示す斜視図である。
【００１５】
陶器製の洋風便器１は、前部に鉢部２を備え、この鉢部２上に倒伏しうるように便座３及び便蓋４が設けられている。
【００１６】
洋風便器１の後部上面に便座ボックス５が設置されている。この便座ボックス５の後部は洋風便器１よりも若干後方に張り出し、その下側に化粧カバー６が連なっている。便座ボックス５に対し前記便座３及び便蓋４が起倒回動可能に支持されている。
【００１７】
この化粧カバー６は、洋風便器１及び便座ボックス５の側面と面一状となるように配置されている。この化粧カバー６は洋風便器１の左右両側に配置されており、便座ボックス５の下方かつ洋風便器１の後面側に配置された機器類を隠蔽している。化粧カバー６の裏面にはフック７が突設されており、このフック７を便座ボックス５あるいは洋風便器１に設けられた係合部に掛止することにより、該化粧カバー６が着脱可能に装着されている。
【００１８】
この実施の形態では、この化粧カバー６全体が着脱体を構成している。この着脱体としての化粧カバー６の裏面にスピーカ取付座８を介してスピーカ９が取り付けられている。化粧カバー６には、このスピーカ９の対面位置に多数の小孔１０が設けられ、スピーカ９からの音を化粧カバー６の前方へ導くようにしている。
【００１９】
この化粧カバー６の両側縁の下半部と下縁とを回り込むようにＵ字形のスタンド１１が設けられている。このスタンド１１は、第１図（ａ）のように化粧カバー６と面一の姿勢と、第１図（ｃ）のように後方へ回動させた張出姿勢とをとりうるように、その上部が化粧カバー６の側面に回動可能に軸支されている。
【００２０】
図示はしないが、化粧カバー６の背面には、スピーカ９の駆動回路と電池とが設けられている。また、便座ボックス５内あるいはその下側には音源回路が設置されており、この音源回路からスピーカ９の駆動回路に対し無線によって音声信号が与えられるようになっている。音源回路には、デジタル圧縮された音データが記録されている。この音としては、音楽、自然音、話し声などが例示される。
【００２１】
このように構成された洋風便器をトイレルームに設置した場合において、化粧カバー６に近接してトイレルームの壁面や構造物等が存在すること等によりスピーカ音が聞えにくかったり、スピーカ音質が低いときなどには、化粧カバー６を取り外し、この化粧カバー６をトイレルーム内のカウンターや棚などに載置する。この場合、第１図（ｃ）のようにスタンド１１を後方へ張り出させてスタンド１１を自立させることが望ましい。このようにスピーカを所望位置に配置することにより、スピーカ音を聞き易くしたり、スピーカ音質劣化を防止し、使用するトイレ空間にあわせたスピーカの配置ができる。
【００２２】
なお、トイレルームの壁面や構造物等が化粧カバー６に近接していなくても、上記のように化粧カバー６を外して所望位置に配置してもよい。
【００２３】
化粧カバー６を取り外した場合、洋風便器１の後方側面が開放状となり、見栄えが悪くなったり、塵等が入ったりするおそれがある場合には、化粧カバー６と同大きさのプレートを化粧カバー６の取り外し後の開放部に装着すればよい。
【００２４】
第１図では、取り外した化粧カバー６をスタンド１１で自立させているが、壁に掛止するようにしてもよい。この場合、フック７を利用して掛止してもよい。
【００２５】
第２図の化粧カバー６Ａは壁面等に掛止するための掛止穴を設けた実施の形態を示すものであり、第２図（ａ）はこの化粧カバー６Ａの背面図、第２図（ｂ）は掛止穴付近の拡大斜視図である。
【００２６】
この化粧カバー６Ａの背面にスピーカ９が取り付けられ、スピーカ９が対峙する面には小孔１０（第２図では図示略）が設けられている。この化粧カバー６Ａの上部には釘１３の頭部１３ａを受け入れる掛止穴１２が設けられている。従って、釘をトイレルーム内の所望の位置に打っておくことにより、壁面や構造物側面の任意の位置にスピーカ付き化粧カバー６Ａを配置することができる。なお、釘１３に限らず、ビスやフックなどを用いても化粧カバー６Ａを壁面や構造物側面に配置することができる。
【００２７】
上記実施の形態では化粧カバー６，６Ａの全体を着脱体としているが、化粧カバーの一部を他部に対し着脱可能としてもよい。
【００２８】
上記実施の形態では化粧カバーにスピーカを設けているが、便座ボックス５にスピーカが設けられていてもよく、この場合は便座ボックス５の一部を着脱体とし、この着脱体にスピーカを設ける。この着脱体を取り外した場合に、便座ボックスの開放口を塞ぐように着脱体と同大きさのプレートを装着するのが好ましい。
【００２９】
タンクカバーにスピーカが設けられている場合にも、同様にタンクカバーの一部を着脱体とし、この着脱体にスピーカを設けることにより本発明構造とすることができる。
【００３０】
第３図はかかる構造の一例を示す斜視図であり、洋風便器２１の後部にタンクカバー２２が設置され、該タンクカバー２２内にロータンク２３が設置されている。タンクカバー２２には、便座２４及び便蓋２５が回動可能に取り付けられると共に、その内部には、便座着座者の臀部を温水で洗浄するための洗浄ノズル２６、臀部乾燥用温風ファン（図示略）等が設置されている。
【００３１】
このタンクカバー２２の側面の一部が着脱可能な小板状の着脱体２８となっており、この着脱体２８の裏側にスピーカ２９が取り付けられている。着脱体２８にはスピーカ音を導くための多数の小孔が設けられている。
【００３２】
図示は省略するが、この着脱体２８には、上記第１図のスタンド又は第２図の掛止穴の一方又は双方が設けられている。この実施の形態でも、着脱体２８をタンクカバー２２から取り外して所望位置に自立又は掛止することにより、スピーカ２９を所望位置に配置することができる。着脱体２８を取り外した後の開放口には、着脱体２８と同大きさのプレート３０を装着する。
【００３３】
上記実施の形態はいずれも本発明の一例であり、本発明は図示以外の態様をもとりうる。例えば、スピーカの位置は図示以外であってもよく、袖部付き便座ボックスの場合に該袖部に着脱体を配置してもよい。
【図面の簡単な説明】
【００３４】
【図１】第１図（ａ）は実施の形態に係る便器付属設備を備えた洋風便器の斜視図、第１図（ａ）は同（ａ）のＢ−Ｂ線断面図、第１図（ｃ）は化粧カバーを取り外して自立させた状態を示す斜視図である。
【図２】第２図（ａ）はこの化粧カバー６Ａの背面図、第２図（ｂ）は掛止穴付近の拡大斜視図である。
【図３】別の実施の形態を示す斜視図である。
【符号の説明】
【００３５】
１，２１  洋風便器
９，２９  スピーカ
【図１】
2005307482.tif 000003
【図２】
2005307482.tif 000004
【図３】
2005307482.tif 000005